Podtech/llm-jp-corpus-v4-ja_patent huggingface dataset:
(57)【要約】【課題】本考案は、米から米糠を取るために、ご飯を炊く際に米を磨ぐためにボウル等の容器と金ザルをセットで使用する米磨ぎ棒を提供する。【解決手段】本考案の米磨ぎ棒１は、ラクビーボールのような楕円体の頭部本体２と、該頭部本体２の長手方向軸の一端に接続された短尺円棒状の柄３とから成り、前記頭部本体２には全面に多数の円錐体の突起４を設ける。前記楕円体の頭部本体２は、プラスチック等の材質からなり、短辺が４ｃｍ、長辺が８ｃｍで、前記円錐体の突起４は、高さが５〜６ｍｍで、米が５〜６粒入る位の間隔で突設するのが望ましい。【選択図】図１
0003177892.tif 000002
【実用新案登録請求の範囲】
【請求項１】
ラクビーボールのような楕円体の頭部本体と、該頭部本体の長手方向軸の一端に接続された短尺円棒状の柄とから成り、前記頭部本体には全面に多数の円錐体の突起を設けたことを特徴とする米磨ぎ棒。
【請求項２】
前記楕円体の頭部本体は、プラスチック等の材質からなり、短辺が４ｃｍ、長辺が８ｃｍで、前記円錐体の突起は、高さが５〜６ｍｍで、米が５〜６粒入る位の間隔で突設することを特徴とする請求項１記載の米磨ぎ棒。
【考案の詳細な説明】
【技術分野】
【０００１】
本考案は、米から米糠を取るために、ご飯を炊く前に米を磨ぐために使用する米磨ぎ棒に関する。
【背景技術】
【０００２】
米はボウル等の容器に入れて手で磨いでいたが、冬寒い時に病気、例えば風邪、指の怪我、リューマチ等の難病の場合、指先の冷たさは特に感じ易く、毎日の米磨ぎは辛いと感じます。
従来、それを解消する米とぎ棒が考案されている（特許文献１を参照）。この公知の米とぎ棒は、先端を太くし、ピンを互い違いに１２ヶ所設け、米とぎ棒の末端部より鍔を挿入し固定する。米とぎ棒を手で廻しながら米を撹拌する。手で米とぎ棒を廻すことにより、手を濡らさずに衛生的敏速にでき、水道代も節約できて極めて食品衛生的である。
しかし、この公知技術は、米を磨いだ後の磨ぎ汁を手早くボウル等の容器から捨てる際の配慮がなされておらず、不便であった。
【先行技術文献】
【特許文献】
【０００３】
【特許文献１】実開平６−４１６４２号公報
【考案の概要】
【考案が解決しようとする課題】
【０００４】
本考案は、米から米糠を取るために、ご飯を炊く際に米を磨ぐためにボウル等の容器と金ザルをセットで使用する米磨ぎ棒を提供することを目的とする。
【課題を解決するための手段】
【０００５】
本考案の米磨ぎ棒は、ラクビーボールのような楕円体の頭部本体と、該頭部本体の長手方向軸の一端に接続された短尺円棒状の柄とから成り、前記頭部本体には全面に多数の円錐体の突起を設けたものである。
前記楕円体の頭部本体は、プラスチック等の材質からなり、短辺が４ｃｍ、長辺が８ｃｍで、前記円錐体の突起は、高さが５〜６ｍｍで、米が５〜６粒入る位の間隔で突設する。
【考案の効果】
【０００６】
本考案の米とぎ棒は、米磨ぎで手を濡らさずに衛生的に且つ簡便に行うことができると共に、ボウル等の容器と金ザルをセットで使用するため、米を磨ぐ場合、最初の水をできるだけ早く流すことにより、磨いだ磨ぎ汁を米にできるだけ含ませないので、食味が良くなる。
【図面の簡単な説明】
【０００７】
【図１】本考案の米磨ぎ棒の斜視図である。
【図２】米磨ぎに使用する金ザルの斜視図である。
【図３】米磨ぎに使用するボウルの斜視図である。
【図４】本考案の米磨ぎ棒を使用している状態を示す斜視図である。
【考案を実施するための形態】
【０００８】
本考案の米磨ぎ棒の一実施例を添付図面に基づいて、以下に説明する。
図１の斜視図に示すように、本考案の米磨ぎ棒１は、ラクビーボールのような楕円体の頭部本体２と、該頭部本体２の長手方向軸の一端に接続された短尺円棒状の柄３とから成り、前記頭部本体２には全面に多数の円錐体の突起４を設けたものである。
【０００９】
前記楕円体の頭部本体２は、プラスチック等の材質からなり、短辺が４ｃｍ、長辺が８ｃｍで、前記円錐体の突起４は、高さが５〜６ｍｍで、米が５〜６粒入る位の間隔で突設するのが望ましい。
【００１０】
前記短尺円棒状の柄３は、プラスチック等の材質からなり、長さが１５ｃｍ位の手で握った際に違和感のない力の入り易い太さ（径）が望ましい。また、前記柄３の末端部には未使用時に吊下げておくことができる円孔５を形成する。
【００１１】
図２の斜視図に示すように、金ザルは米が通過できない網目を備えた金属製材料からなり、（ａ）金ザル６は、取手７を備えており、（ｂ）金ザル８は、掴みやすいように側面に段部９を設けている。また、金ザルの底は、丸状でも平ら状でも良い。
【００１２】
図３の斜視図に示すように、ボウル等の容器１０は、プラスチック等の材質からなり、少なくとも金ザルを収納できる大きさのものを使用する。
【００１３】
次に、本考案の米磨ぎ棒の操作動作を添付図面に基づいて、以下に説明する。
図４の斜視図に示すように、ボウル１０と金ザル６を重ね、米を入れ、２／３位の所まで水を入れる。
米磨ぎ棒１で４〜５回廻し洗い、手早く金ザル６を引き上げる。これにより一瞬にして水切りができる。
それを４回位繰り返して米磨ぎを終了する。
米磨ぎは何回繰り返しても白い水が出るが、それは米の表皮を傷めるだけなので４回位が限度である。
【００１４】
米を磨ぐ場合、最初の水をできるだけ早く流すことにより、米に水分をできるだけ含ませないことで食味が良くなる。特に８月頃の端境（はざかい）期になると、米が乾燥して水を吸い易い状態になっているので、最初の水を手早く流すことで美味しさが顕著に現れる。それ故、ボウルと金ザルをセットで使用するが、家庭にあるもので可。
【符号の説明】
【００１５】
１  米磨ぎ棒
２  頭部本体
３  柄
４  突起
５  円孔
６  金ザル
７  取手
８  金ザル
９  段部
１０  容器（ボウル）
【図１】
0003177892.tif 000003
【図２】
0003177892.tif 000004
【図３】
0003177892.tif 000005
【図４】
0003177892.tif 000006
(57)【要約】      （修正有） 【課題】りん棒をりんに内蔵化し携行に便利なりん棒内蔵型おりんを提供する。【解決手段】りんの内輪に振り子方式で振り子アーム３、球５を一体化し内蔵に組み込み振り子アーム３を、左、右に可動させ音を出すことを特徴とする。りん棒内蔵型りんは、一体型であり、子供、老人でも同じ音がだせ、携行して墓参りなどに好適である。【選択図】図１
0003177829.tif 000002
【実用新案登録請求の範囲】
【請求項１】
りん本体の内輪に振り子方式で振子を組込み、振り子アームを可動してりんを打ち鳴らす事を特徴とするりん棒内蔵型おりん。
【請求項２】
前記打鈴手段は、振り子アームに球を挿入し響きの良い所でネジをロックし、打鈴する事を特徴とする、請求項１記載のりん棒内蔵型おりん。
【請求項３】
りん本体、内輪に部材を組み込み外観から見えなくコンパクにし携行できる事を特徴する、請求項１あるいは請求項２記載のりん棒内蔵型おりん。
【考案の詳細な説明】
【技術分野】
【０００１】
本考案はりん棒を一体型に内蔵するおりんに関するものである。
【背景技術】
【０００２】
従来からおりんは、りん棒で打鈴するのが一般的であり特許文献１の登録実用新案第３１６７６４５号公報や特許文献２の登録実用新案第３１６５８６５号公報もりん棒で打鈴する事に変わりはないのである。
【先行技術文献】
【特許文献】
【０００３】
【特許文献１】登録実用新案  第３１６７６４５号広報
【特許文献２】登録実用新案  第３１６５８６５号広報
【考案の概要】
【考案が解決しようとする課題】
【０００４】
従来のおりんは、高台、座布団、リン、りん棒と、４部品で成り立ており携行に不便である。本考案はそれを解決するものである。
【課題を解決するための手段】
【０００５】
以前はりん棒で打つのに手加減が必要で、なかなか良い音が得られない点を解決した。
具体的には、りん本体の内輪に振り子方式で振子を組込み、振り子アームを可動してりんを打ち鳴らす事を特徴とするりん棒内蔵型おりんである。また、前記打鈴手段は、振り子アームに球を挿入し響きの良い所でネジをロックし、打鈴する事を特徴とするりん棒内蔵型おりんである。また、りん本体、内輪に部材を組み込み外観から見えなくコンパクにし携行できる事を特徴するりん棒内蔵型おりんである。
【考案の効果】
【０００６】
上蓋と、りん台プレートを木製、金属、プラスチック、漆などの材料を.使用する事に依り、カラ―色が多くインテリヤとしても良い。
【０００７】
上蓋と、りんの隙間が少ないので音の余韻が３０秒〜４０秒位と長く、響きと、癒し効果がある。
【図面の簡単な説明】
【０００８】
【図１】本体の断面図
【図２】本体の側面図
【図３】本体の部品図
【図４】外観図
【考案を実施するための形態】
【０００９】
おりん本体の内輪に振り子を組み付け、上蓋の側面より突き出した振り子アーム４ａを、左右に可動し打鈴し音を出す。
【００１０】
本考案の図面に基づき説明する。
【００１１】
図４は本体の外観図であり。図４におい、てりん棒を内蔵化した全体図である。
【００１２】
下記上部１８、中部２０、下部１９の三構成で出来ている。
【００１３】
上部は上蓋２に、上蓋固定プレート１２を、スポット溶接し吊紐と一体化している。
【００１４】
中部２０は振り子アーム３に、球５を挿入しホーロネジ１７でロックし、リング１６ｂ、リング１５aで、振り子固定プーレト１１にネジ止し、りん固定支柱６にボルトで固定する。
【００１５】
下部１９は、りん４と、りん固定支柱６と、りん固定プレートにボルトで固定する。
【００１６】
りん固定プレート８、底面にキズ、滑り止め、防止用フエルトを貼り付けた例になっている  
【００１７】
本考案の、りん棒内蔵型りんは、一体型であり、子供、老人でも同じ音がだせ、携行して墓参りなどに好適である。
【符号の説明】
【００１８】
１      吊紐  
２      上蓋  
３      振り子アーム
４      りん
５      球
６      りん固定支柱
７      りん固定プレート
８      フエルト
９      ボルトＭ５  
１０    ボルトＭ５  
１１    振り子固定プレート
１２    上蓋固定プレート
１３    ボルトＭ５
１４    ボルトＭ４  
１５    リングａ
１６    リングｂ
１７    ホーロネジ
１８    上部
１９    下部
２０    中部
【図１】
0003177829.tif 000003
【図２】
0003177829.tif 000004
【図３】
0003177829.tif 000005
【図４】
0003177829.tif 000006
(57)【要約】      （修正有）【課題】研磨材配設面が内側になるようにして、側面略Ｕ字状ないし略円筒状に容易に曲げることができるようにした野菜用皮むき具を提供する。【解決手段】表面に研磨材を備えた基材１の裏面にスポンジ材５を接着してなる野菜用皮むき具において、該スポンジ材５には多数の平行なスリット９，９・・・を形成する。スリット９、９・・・は、好ましくは、スポンジ材５の長さ方向と直角方向に形成する。また、スリット９、９・・・は、好ましくは、スポンジ材５の表面より該スポンジ材５における接着剤層に臨む面に至るまで形成する。【選択図】図１
0003177823.tif 000002
【実用新案登録請求の範囲】
【請求項１】
表面に研磨材を備えた基材の裏面にスポンジ材を接着してなる野菜用皮むき具において、
該スポンジ材には多数の平行なスリットを形成したことを特徴とする野菜用皮むき具。
【考案の詳細な説明】
【技術分野】
【０００１】
本考案は、野菜用皮むき具に関するものであり、例えば、サトイモ、ジャガイモ、ニンジン等の野菜の皮をむくために使用される野菜用皮むき具に係るものである。
【背景技術】
【０００２】
実用新案登録第３１４７２６４号公報は、表面に研磨材を備えた基材の裏面にスポンジ材を接着してなる野菜用皮むき具（以下「従来の野菜用皮むき具」という。）を開示している。
【先行技術文献】
【特許文献】
【０００３】
【特許文献１】実用新案登録第３１４７２６４号公報
【考案の概要】
【考案が解決しようとする課題】
【０００４】
しかるに、上記従来の野菜用皮むき具は、表面に研磨材を備えた基材の裏面に一体のスポンジ材を接着しているに過ぎないため、容易に折り曲げることができないものである。
【０００５】
したがって、従来の野菜用皮むき具においては、該野菜用皮むき具を、研磨材配設面が内側になるようにして、例えば側面略Ｕ字状ないし略円筒状に曲げ、該野菜用皮むき具内に野菜を包み込むようにした状態で、該野菜用皮むき具又は該野菜のいずれかを動かすことにより、該野菜の皮をむくという作業を行うことができないという問題がある。
【０００６】
なお、「研磨材配設面」とは、野菜用皮むき具における研磨材を備えている面をいう。図中の符号４参照。
【０００７】
従来の野菜用皮むき具におけるこのような問題を解決するために、本考案は、従来の野菜用皮むき具を改良し、研磨材配設面が内側になるようにして、例えば側面略Ｕ字状ないし略円筒状に容易に曲げることができるようにした野菜用皮むき具を提供しようとしてなされたものである。
【課題を解決するための手段】
【０００８】
上記課題を解決するために、本考案は、下記の野菜用皮むき具を提供するものである。
【０００９】
表面に研磨材を備えた基材の裏面にスポンジ材を接着してなる野菜用皮むき具において、
該スポンジ材には多数の平行なスリットを形成したことを特徴とする野菜用皮むき具。
【考案の効果】
【００１０】
本考案によれば、基材の裏面に接着されたスポンジ材に多数の平行なスリットを形成しているため、野菜用皮むき具を、研磨材配設面が内側になるようにして、例えば側面略Ｕ字状ないし略円筒状に容易に曲げることができる。したがって、該野菜用皮むき具内に野菜を包み込むようにした状態で、該野菜用皮むき具又は該野菜のいずれかを動かすことにより、該野菜の皮をむくという作業を容易に行うことができる。
【図面の簡単な説明】
【００１１】
【図１】図１は、本考案による野菜用皮むき具の一例を示す斜視図である。
【図２】図２は、同上野菜用皮むき具を側面略Ｕ字状に曲げて野菜の皮むき作業を行っている状態を示す側面図である。
【図３】図３は、同上野菜用皮むき具を曲げることなく野菜の皮むき作業を行っている状態を示す側面図である。
【図４】図４は、同上野菜用皮むき具の一部を拡大して示す断面図である。
【図５】図５は、同上野菜用皮むき具の底面図である。
【図６】図６は、同上野菜用皮むき具の平面図である。
【考案を実施するための形態】
【００１２】
本考案による野菜用皮むき具は、人が片手で持って野菜の皮むき作業を行うに適した大きさを有するものであって、例えば、略長円形、略楕円形、略円形、略長方形、略正方形等の平面形状を備える。
【００１３】
符号１に示すものは基材である。基材１の表面には研磨材３を備えさせる。研磨材３は接着剤等により基材１の表面に固着する。
【００１４】
基材１としては、例えば、不織布、合成紙、合成樹脂フィルム等により形成したシートが用いられる。
【００１５】
研磨材３としては、例えば、アルミナ、炭化ケイ素、ホタテ貝の貝殻等の粒子が用いられる。研磨材３は、一例として、粒度＃８０程度の粗粒を用いる。
【００１６】
基材１の裏面にはスポンジ材５を接着する。図４における符号７に示すものは接着剤層である。
【００１７】
スポンジ材として５は、例えば、発泡ポリエチレン、ＥＶＡ等により形成したものが用いられる。
【００１８】
該スポンジ材５には多数の平行なスリット９、９・・・を形成する。
【００１９】
スリット９、９・・・は、好ましくは、スポンジ材５の長さ方向と直角方向に形成する。例えば、図５においては、左右方向がスポンジ材５の長さ方向であり、上下方向が直角方向である。
【００２０】
スリット９、９・・・は、好ましくは、スポンジ材５の表面より該スポンジ材５における接着剤層７に臨む面に至るまで形成する。なお、スリット９、９・・・は、好ましくは、基材１の裏面にスポンジ材５を接着した後に形成する。
【００２１】
本考案による野菜用皮むき具は、一例として図２に示すように、研磨材配設面４が内側になるようにして、側面略Ｕ字状ないし略円筒状に曲げ、該野菜用皮むき具内に野菜１１を包み込むようにした状態で、該野菜用皮むき具又は該野菜１１のいずれかを動かすことにより、該野菜１１の皮をむくことが望ましい。図２において符号１３に示すものは、野菜１１から除去された皮である。
【００２２】
また、本考案による野菜用皮むき具は、一例として図３に示すように、研磨材配設面４上にした状態で台上に置き、該研磨材配設面４に野菜１１を載置して、該野菜１１を該研磨材配設面４こすり付けることにより、該野菜１１の皮をむくこともできる。
【００２３】
なお、野菜１１の表面に野菜用皮むき具の研磨材配設面４を接触させた状態で該野菜用皮むき具を該野菜１１にこすり付けることにより、該野菜１１の皮をむいてもよい。
【符号の説明】
【００２４】
１  基材
３  研磨材
４  研磨材配設面
５  スポンジ材
７  接着剤層
９  スリット
１１  野菜
１３  皮
【図１】
0003177823.tif 000003
【図２】
0003177823.tif 000004
【図３】
0003177823.tif 000005
【図４】
0003177823.tif 000006
【図５】
0003177823.tif 000007
【図６】
0003177823.tif 000008
(57)【要約】      （修正有）【課題】車輌等に乗車している時でも使用できる携帯トイレとして、シビンの筒状部分をフレキシブルな構造にしたシビンを提供する。【解決の手段】シビンの筒状部分を上下、左右に自在に動くフレキシブルな構造とするために、該シビンの筒状部分にジャバラ状部分を設けて該シビンを形成する。【選択図】図２
0003177846.tif 000002
【実用新案登録請求の範囲】
【考案の詳細な説明】
【技術分野】
【０００１】  本考案は、シビンの筒状部分をフレキシブルにした携帯トイレに関するものである。
【背景技術】
【０００２】  従来のシビンは、ベット等で用いる構造になっており車両等に乗車して使用するときは不向きであった。
【考案の開示】
【考案が解決しようとする課題】
【０００３】  シビンの筒状部分をフレキシブルな構造にすることにより0003177846.tif 000003
【問題を解決するための手段】
【０００４】  本考案は、シビンの筒状部分を自在に動く構造にすることで問題を解決している。
【考案の効果】
【０００５】
0003177846.tif 000004
いるときにも使用できる。
【考案を実施するための最良の形態】
【０００６】  シビンの筒状部分を上下・左右に自在に動く構造とする。
【実施例】
【０００７】  以下、添付図に従って実施例を説明する。１はシビンの筒状部分を自在に動かして小便をする。【０００８】
0003177846.tif 000005
示すように車等に乗車して小便をするときに使用する。
【図面の簡単な説明】
【０００９】
【図１】正面図
【図２】側面図
【図３】実施例図
【図１】
0003177846.tif 000006
【図２】
0003177846.tif 000007
【図３】
0003177846.tif 000008
【手続補正書】
【提出日】平成24年5月7日(2012.5.7)
【手続補正１】
【補正対象書類名】実用新案登録請求の範囲
【補正対象項目名】全文
【補正方法】変更
【補正の内容】
【実用新案登録請求の範囲】
【請求項１】
シビンの筒状部分にジャバラ状部分を設けたシビン。
(57)【要約】      （修正有）【課題】夜間、左右のスリッパに設けられた表示灯により、前記左右のスリッパの所在を示し、さらに緊急時懐中電灯にもなる表示灯付きスリッパを提供する。【解決手段】一対の左右のスリッパの一方の主スリッパに、２分割された金属導板を相対するマグネット板に接着固定しスイッチ３の接点とする。又、もう一方のスリッパには主スリッパと極性の異なるマグネット板に金属導板を接着固定しスイッチの導通接点とする。主スリッパは蓄電池５・表示灯２・充電用端子及び上記マグネットスイッチ３を取付ける。もう一方のスリッパにはマグネットスイッチ４のみを取付ける。夜の就寝の際スリッパをぬぎ置く時、左右一対のスリッパはスリッパの上部に一対の絵柄を配しその絵柄にしたがって、左右を合わせたとき、内側に取付けた上記マグネットスイッチ３、４が吸着し回路に電源が入り主スリッパの先端上部に取付けた表示灯２が点灯して、スリッパの在りかが分かる。【選択図】図１
0003177850.tif 000002
【実用新案登録請求の範囲】
【請求項１】
左右のスリッパにマグネットを取る付けマグネットの吸着力を利用し、左右一対に揃ったときＬＥＤ白色発光体が点灯するスリッパ。
【請求項２】
スリッパのマグネットはスイッチ構造とし吸着した場合に内蔵した蓄電池より電源が供給されＬＥＤ白色発光体を点灯する請求項１に記載されたスリッパ。
【請求項３】
ＬＥＤ白色発光体が発光中、暗闇で睡眠を妨げないように眩しさを避けるため、減光フィルターを取り付け、必要に応じて取り外し、懐中電灯として使用できる請求項１に記載されたスリッパ。
【考案の詳細な説明】
【技術分野】
【０００１】  夜間就寝中の地震発生時、室内の暗闇でガラス破片、瓦礫等の中を安全場所迄緊急避難する際、足裏の痛みに耐えられず避難が困難な場合がある。就寝時に左右揃えてベッドあるいは枕元に置けば、暗闇で表示灯が常時点灯してスリッパの在りかを表示する。
【背景技術】
【０００２】  夜の就寝中の暗闇で地震等の非常時にガラスの破片等が部屋に散乱している可能性があり、素足での避難を困難にしている。従来は発光物質等で表示したスリッパ等があるが、発光時間が数時間と短く、又、明るさの不足等がありスリッパの在りかが分かり難いことがあった。本考案品は左右のスリッパにマグネットを取り付けて磁力でスリッパを吸着するとマグネットがスイッチとなりスリッパにセットされた蓄電池によりＬＥＤ白色発光体が点灯する、左右揃っているので安全に緊急非難できる。
【考案の開示】
【考案が解決しようとする課題】
【０００３】  本考案はかかる現状に対してなされたもので、スリッパ左１に表示灯２、蓄電池５、マグネットスイッチ３、を内蔵する。スリッパ右１ａにはマグネットスイッチ４を取り付けてあり、就寝前にスリッパの側面に付けたマグネット同士の磁力により吸着して電源が供給され表示灯２が点灯する。
なを、表示灯２にフィルター７を取り付け夜間就寝中は減光し眩しさを押さえる。必要に応じてフィルター７を外せば懐中電灯として使用できる。例としてフィルターに赤色などを使う。
【課題を解決するための手段】
【０００４】  本考案は、前記課題の解決を図ったもので、請求項１記載の考案は、図１のＬＥＤ白色発光体２を点灯させるためにスリッパ左１の踵部分に蓄電池ボックス６、蓄電池５、側面にマグネットスイッチ３を取り付けて構成される。スリッパ右１ａの側面にマグネットスイッチ４が取り付けてあり、磁力で吸着てスイッチが入りＬＥＤ白色発光体２が点灯する。【０００５】  請求項２の考案は図３のスイッチが「入」の状態である。マグネットススイッチ３に電極３ａと電極３ｂがあり各電極は絶縁され、リード線１０が配線されている。マグネットスイッチ４には導電板４ａがあり磁力で吸着したとき電極３ａと電極３ｂに導電板４ａが接触し電源が入る。図４はマグネットスイッチ４を引き離した場合で電源が「切」の状態である。弱電用とし吸着のときＬＥＤ発光体に電源が「入」になり点灯するスイッチで構造である。【０００６】  請求項３は図１のスリッパ左１の発光体２にフィルター７を付け減光し眩しさをおさえ、スリッパの在りか明確にする。必要に応じてフィルター７を外し懐中電灯と使用できる構造。
【考案の効果】
【０００７】  夜間就寝中の際にベッドの等の近くに置くスリッパの場所が暗闇では分かり難い、就寝時時にスリッパを揃えて置けばその上部の発光体が常時点灯して、その在りか分かり躊躇する事無く避難できる。又発光体部に取り付けたフィルターを外すことにより懐中電灯とすることが出来る。
【考案を実施するための最良の形態】
【実施例】
【０００８】  スリッパを揃えてマグネット同士を吸着してベッドの下、又は枕元に置くと発光体が常時点灯し左右揃ったスリッパのある場所を明確に分かる、蓄電池の容量が少なくなって発光体が暗くなった場合は充電端子に充電器を接続して充電を行うことができる。又懐中電灯としても使用できる。
【産業上の利用可能性】
【０００９】  就寝中の暗闇での地震災害時にスリッパの在りかを表示灯が点灯しているので素足で無く安全に非難できる、又必要に応じて懐中電灯として使用できる。スリッパには補強板があり足裏を怪我することなくガラス破片、瓦礫等を気にすることなく無事安全に避難できる。
【図面の簡単な説明】
【００１０】
【図１】スリッパの吸着した平面図
【図２】スリッパの引き離した斜面図
【図３】マグネットスイッチ「入」の側面断面図
【図４】マグネットスイッチ「切」の側面断面図
【符号の説明】
【００１１】１    スリッパ左
１ａ  スリッパ右
２    ＬＥＤ白色発光体
３    マグネットスイッチ電極側
３ａ  電極ａ
３ｂ  電極ｂ
４    マグネットスイッチ導電極側
４ａ  導電板
５    蓄電池
６    蓄電池ボックス
７    フィルター
８    充電用端子
９    補強板
１０  リード線
【図１】
0003177850.tif 000003
【図２】
0003177850.tif 000004
【図３】
0003177850.tif 000005
【図４】
0003177850.tif 000006
【手続補正書】
【提出日】平成24年5月31日(2012.5.31)
【手続補正１】
【補正対象書類名】実用新案登録請求の範囲
【補正対象項目名】請求項１
【補正方法】変更
【補正の内容】
【請求項１】
一対の左右のスリッパの一方の主スリッパに、２分割された金属導板を相対するマグネット板に接着固定しスイッチの接点とする。又、もう一方のスリッパには主スリッパと極性の異なるマグネット板に金属導板を接着固定しスイッチの導通接点とする。主スリッパは蓄電池・表示灯・充電用端子及び上記マグネットスイッチを取付ける。もう一方のスリッパにはマグネットスイッチのみを取付ける。夜の就寝の際スリッパをぬぎ置く時、左右一対のスリッパはスリッパの上部に一対の絵柄を配しその絵柄にしたがって、左右を合わせたとき、内側に取付けた上記マグネットスイッチが吸着し回路に電源が入り主スリッパの先端上部に取付けた表示灯が点灯して、スリッパの在りかが分かる表示灯付きスリッパ。
(57)【要約】      （修正有）【課題】取り付けに手間と時間を要しない霜付着防止具を提供する。【解決の手段】水分を吸着する性質がある毛糸や綿紐等２をナイロン網１に通し、隙間が出来るように一定の間隔を設け繋ぎ合わせ、自動車のフロントガラス等に使用する。【選択図】図１
0003177848.tif 000002
【実用新案登録請求の範囲】
【請求項１】
水分を吸着する紐を、等間隔に一定の隙間を設け繋ぎ合わせたもので、自動車のフロントガラス等に取り付けて使用する霜付着防止具。
【請求項２】
ナイロン糸で網目に加工された製品の網目の部分に、水分を吸着する性質がある毛糸や綿紐等を隙間ができるように一定の間隔に通したものを、自動車のフロントガラス等に覆い使用するものであり、取り付けにはマグネットシートを車体に貼り付けて使用する。
【考案の詳細な説明】
【０００１】本考案は、自動車のフロントガラス等に覆って使用する霜付着防止具である。
【技術背景】
【０００２】従来の霜付着防止具は、シート状の布等で覆っていた。
【考案の開示】
【考案が解決しようとする課題】
【０００３】しかし、これでは、風の影響を大きく受け捲れ上がりや落下をおこすので、ゴム紐等でサイドミラーに引っ掛けたり、ドア、窓ガラスに挟まなくてならず取り付けに手間と時間がかかり不便である。
【課題を解決するための手段】
【０００４】そこで、水分を吸着する性質がある毛糸や綿紐等をナイロン網に通し隙間ができるように一定の間隔を設け繋ぎ合わせを行った霜付着防止具を考案した。
この霜付着防止具を自動車のフロントガラス等に覆うことにより、自動車のフロントガラス表面に霜が付着しにくくなる。
【考案の効果】
【０００５】毛糸や綿の紐が、周囲の湿気を吸着する性質があることにより、一定の隙間を設けても、夜露による霜が自動車のガラスに付着しにくくなる。
また、風の影響を受けにくく軽量に出来るため、小型のマグネットシートの磁力で車の車体（スチール板）に霜付着防止具を取り付けても、捲れ上がりや落下をおこしにくい。
マグネットシートを使用することで取り付け取り外しが簡易に出来る。
毛糸、綿紐等が水分を含むが、隙間を設けることで乾きが早く、日々繰り返し使用することが出来る。
【考案を実施するための最良の形態】
【０００６】図１のように、▲１▼ナイロン網の網目（１５平方ｍｍ程度）の部分全てに▲２▼毛糸、綿紐（５ｍｍ程度の太さ）等を上下、左右または上下左右に通すことで、等間隔の隙間を設ける。
図２の▲３▼マグネットシート（２０平方ｍｍ〜３０平方ｍｍを数個つないだもの）を４隅に紐で取り付ける。
【図面の簡単な説明】
【０００７】
【図１】毛糸、綿紐をナイロン網への取り付け方を示した平面図
【図２】本考案に係る隙間付自動車ガラス霜付着防止具を示した平面図
【符号の説明】
【０００８】  ▲１▼    ナイロン網
▲２▼    毛糸、綿紐
▲３▼    マグネットシート
【図１】
0003177848.tif 000003
【図２】
0003177848.tif 000004
【手続補正書】
【提出日】平成24年5月30日(2012.5.30)
【手続補正２】
【補正対象書類名】実用新案登録請求の範囲
【補正対象項目名】全文
【補正方法】変更
【補正の内容】
【実用新案登録請求の範囲】
【請求項１】
水分を吸着する紐を、等間隔に一定の間隔を設け繋ぎ合わせたもので、自動車のフロントガラス等に取り付けて使用する霜付着防止具。
【請求項２】
ナイロン糸で網目に加工された製品の網目の部分に、水分を吸着する性質がある毛糸や綿紐等を隙間ができるように一定の間隔に通したものを、自動車のフロントガラス等に覆い使用する霜付着防止具。
(57)【要約】      （修正有）【課題】グローランプ使用蛍光灯器具にＬＥＤ照明器具を取り付けると、グローランプを撤去するのでグローランプ口金に穴ができ、その穴を埋めるためのキャップを提供する。【解決手段】グローランプ使用蛍光灯器具のグローランプを外すことにより、ＬＥＤ照明器具の使用ができる。グローランプの口金をＬちゃんで塞ぐ事により、感電の予防、ほこりによる事故の防止になる。【選択図】図１
0003177844.tif 000002
【実用新案登録請求の範囲】
【請求項１】
グローランプ使用蛍光灯器具のグローランプの口金の穴のキャップ
【考案の詳細な説明】
【技術分野】
【０００１】  グローランプ使用蛍光灯器具に、ＬＥＤ照明器具取り付け事、グローランプを撤去するので、グローランプ口金に穴ができる、その穴を埋めるためのキャップです
【背景技術】
【０００２】  絶縁材で、グローランプと同系の器具を作り、グローランプを取り外した後、グローランプの口金に取り付ける、その後ＬＥＤ照明器具を取り付ける
【考案の概要】
【考案が解決しようとする課題】
【０００３】Ｌちゃんをグローランプの口金にキャップする事により、ＬＥＤ照明器具取り付けの確認、感電の予防、ほこりによる事故の防止、
【課題を解決するための手段】
【０００４】グローランプ使用蛍光灯器具のグローランプを外すことにより、ＬＥＤ照明器具の使用が、できます、グローランプの口金をＬちゃんで塞ぐ事により、感電の予防、ほこりによる事故の防止なります。
【考案の効果】
【０００５】グローランプ使用蛍光灯器具を、ＬＥＤ照明器具に変える事により、安価でＬＥＤ照明器具取り付けられますので、使用する人たちも増え、電気の使用量も少なくなると、思います
【図面の簡単な説明】
【０００６】
【図１】本考案のキャップ、Ｌちゃんを示す正面図である
【図２】本考案のキャップ、Ｌちゃんを示す正面図である。
【考案を実施するための形態】
【０００７】グローランプ使用蛍光灯器具を、ＬＥＤ照明器具に変える事により、安価でＬＥＤ照明器具取り付けられます
【図１】
0003177844.tif 000003
【図２】
0003177844.tif 000004
(57)【要約】      （修正有）【課題】雨天でも蓄光顔料の発光により明確に道路区画線が識別できる道路用反射ガラスビーズを提供する。【解決手段】道路用反射ガラスビーズの表面に、蓄光顔料をガラスビーズの重量の５％から２０％の間でシランカップリング剤によりコーティングする。【選択図】図１
0003177801.tif 000002
【実用新案登録請求の範囲】
【請求項１】
道路用反射ガラスビーズの表面に、蓄光顔料をガラスビーズの重量の5%から20%の間でシランカップリング剤によりコーティングしたことを特徴とする道路用反射ガラスビーズ。
【考案の詳細な説明】
【技術分野】
【０００１】
道路の白線や黄色線など道路の交通規制を表現する道路規制線の上に散布して自動車のヘッドライトが照射されると、その光を反射して交通規制内容を強調表現する道路規制線に関する。
【背景技術】
【０００２】
道路の通行区分をするため路上に表示されている白線や黄色の線は、一旦停止や追い越しの可能な区間や追い越し禁止やバス専用路線など様々な規制について表示するためのものである。その規制区分を強調し、さらに自動車の運転者が確認を確かな容易なものとするため、光を反射するガラスビーズが表面に散布されている。
【先行技術文献】
【特許文献】
【０００３】
【特許文献１】特開２００２−２２６７８６号公報
【考案の概要】
【考案が解決しようとする課題】
【０００４】
路面に描かれた、現行の道路走行区分の規制線の欠点は、降雨時には路面に水幕が形成され、これにより自動車前照灯の光を反射してしまい、ガラスビーズが光を反射できないため、自動車の運転者は走行車線の規制区分がわからす。暗黒な路面を見つめながら疾走しなければならないため交通安全の目的を果たさないことである。自動車の運転者は、極めて不安で雨天の走行は容易でない。このような不具合を改良し、交通安全に寄与するための方法について考案した。
【課題を解決するための手段】
【０００５】
一般に蓄光顔料と呼ばれているものがある。この物質は太陽光や人工の光の中に含まれている紫外線と熱線を受けると、これを507nmを頂点とする約388nmから約644nmの間の可視光線に変えて、貯蔵したのち徐々に放射する性質がある。この顔料をガラスビーズの表面にコーティングすることにより問題を解決する。
【考案の効果】
【０００６】
蓄光顔料を表面にコーティングした道路用反射ガラスビーズと一般の道路用反射ガラスビーズを混合して路面に配置することにより、光を反射するとともに自らも蓄光性により発光し、降雨時において路面が雨水に覆われて自動車のヘッドライトによる反射光が得られなくても蓄光発光により安全表示機能を全うする。  
【０００７】
道路交通区分線の施工にあたり路面を乾燥させたのち白線材料を路面指定位置に施工した直後、反射ガラスビーズと蓄光顔料を表面にコーティングしたガラスビーズを3対１の割合で混合し、これを散布して転圧密着させた。該道路交通区分線は晴天時にも雨天時にも規制目的を達する機能を発揮した。
【図面の簡単な説明】
【０００８】
【図１】図１は蓄光顔料をシリコン樹脂と共に表面にコーティングした道路用反射ガラスビーズの断面図である。
【考案を実施するための形態】
【０００９】
本考案の実施形態につき下記に詳しく述べる。
【実施例１】
【００１０】
無水アルコールの中に信越化学工業株式会社製のコーティング用シリコンであるオルガノシランＫＢＭ−３０６３を加えて、オルガノシランが55%から25%の含有率になるように希釈した混合液を作る。
【００１１】
ガラスビーズと蓄光顔料を1:1の比率で計量し、これらをオムにミキサーの中で撹拌しながら、前記の無水アルコールとオルガノシランとの混合液をスプレーしながら撹拌する。均等に分散したことを確かめたのちミキサーの駆動を止めて、ミキサーから取り出して平らな所に均等厚さで拡げて静置して、アルコールの蒸発と空気中の湿度と酸素にシリコンが反応して硬化するまで養生する。
【００１２】
表面にオルガノシランと蓄光顔料をコーティングされた道路用反射ビーズは、常温で乾燥硬化するには３０時間程度必要であるが、２００℃に保たれた恒温加熱炉に入れて、１時間養生したのち自然乾燥状態で徐冷する。かくすることにより、オルガノシランと蓄光顔料をコーティングされた道路用反射ビーズの表面には強固なガラス質蓄光皮膜が形成される。
【産業上の利用可能性】
【００１３】
このようにして蓄光顔料を表面にコーティングしたガラスビーズを道路上の交通規制線の上に施工するには、蓄光顔料が表面にコーティングされていない従来のガラスビーズと重量比で1:1から1:3の範囲で必要に応じた輝度となるよう配合して散布する。
【００１４】
この発明の蓄光ガラスビーズを道路の交通区分線の表面に散布して施工すると、道路の交通区分線は、太陽光の紫外線を吸収して蓄光し、夜間には人工の照明なしで、区分線が自ら発光して区分線の位置と色を明確に表示するので、降雨時であっても安全確保に極めて有効な効果を発揮する。
【００１５】
蓄光ビーズを表面に施工された道路は自動車の交通により、夜間は自動車の前照灯により照らし出され、道路の交通区分線の表面に蓄光するので、後続の走行車は道路区分線が発光している為に容易に判別できる。特筆すべきは、降雨時の区分線は路面に滞留している雨水のため、通行規制の判別ができないが、この考案による蓄光性ガラスビーズを施工された道路区分線に於いては、区分線が発光して道路走行区分の表示をするので、降雨時判別できない道路交通区分を明確に表示することが出来る。
【符号の説明】
【００１６】
１    道路用反射ガラスビーズ
２    道路用反射ガラスビーズの表面にシランカップリング材でコーティングした蓄光顔料
【図１】
0003177801.tif 000003
(57)【要約】      （修正有）【課題】小さく折りたたむことが容易で携帯性に優れており、保温性もあるので冷えも防止できるし、座った時の当たりの硬さを軽減することでお尻の痛みを防止できるようにした携帯用座布マットを提供する。【解決手段】シートカバー１と保温シート２を重ね合わせ外縁側を互いに縫製し、また全面に格子状の固着部を形成することにより折りたたみ可能にしてある。小さく折りたたむことが可能であるから、携帯性に優れた形態となる。【選択図】図１
0003177875.tif 000002
【実用新案登録請求の範囲】
【請求項１】
柔軟性を有するシートカバーをクッション性を有する保温シートの上に重ねた状態にし、該シートカバーと保温シートの外縁側を互いに固着すると共に、全面に格子状の固着部を形成することにより、該固着部を折り目として小さく折りたためるようにした携帯用座布マット。
【請求項２】
前記シートカバーは、撥水布地、ラミネート布地等の防水性シートであることを特徴とする請求項１記載の携帯用座布マット。
【請求項３】
前記保温シートは、下面を断熱フイルムで覆ってあることを特徴とする請求項１記載の携帯用座布マット。
【請求項４】
請求項１記載の座布マットは、折りたたんだ時の状態を保つためのバンドを備えていることを特徴とする携帯用座布マット。
【考案の詳細な説明】
【技術分野】
【０００１】  本考案は、野外催事場、屋外ベンチ、スポーツスタジアム、病院の待合室など、感触が硬質の椅子に腰を下ろす時に用いて好適な、小さくたためる様にした携帯用座布マットに関する。
【背景技術】
【０００２】  従来はスポーツスタジアム、屋外ベンチなどに腰を下ろす時、人によっては冷え防止のため、あるいは、お尻の痛み防止のために自前のクッションやハンカチなどを持参して対応していた。
【先行技術文献】
【特許文献】
【０００３】
【特許文献１】  特にありません。
【考案の概要】
【考案が解決しようとする課題】
【０００４】  しかし、日常使用しているクッションは折りたたみづらくかさばるし、持ち運ぶのも面倒である。またハンカチなどで代用すると、ずれたりするなどの不都合が生じた。【０００５】  本考案は、上述した従来技術の欠点に鑑みなされたもので、小さく折りたたむことが容易で携帯性に優れており、保温性もあるので冷えも防止できるし、座った時の当たりの硬さを軽減することでお尻の痛みを防止できるようにした携帯用座布マットを提供することを目的とする。
【課題を解決するための手段】
【０００６】  上述した課題を解決するために構成した請求項１にかかる考案の手段は、柔軟性を有するシートカバーをクッション性を有する保温シートの上に重ねた状態にし、該シートカバーと保温シートの外縁側を互いに固着すると共に、全面に格子状の固着部を形成することにより、該固着部を折り目として小さく折り畳めるようにしたものからなる。【０００７】  そして、前記シートカバーは、撥水布地、ラミネート布地等の防水性シートであると良い。【０００８】  前記保温シートは、下面を断熱フイルムで覆うと良い。【０００９】  請求項１記載の座布マットは、折りたたんだ時の状態を保つためのバンドを備えると良い。
【考案の効果】
【００１０】  本考案は、上述のごとく構成したから下記の諸効果を奏する。
（１）柔軟性を有するシートカバーと、クッション性を有する保温シートにより座布マットを構成したから、クション性や保温性に優れており、キャンプ場、スポーツスタジアム、病院の待合室等、冷たく硬い椅子等に使用する場合の使い勝手に優れている。また、汚れたベンチに座るときの汚れ防止などにも使用することが出来る。
（２）シートカバーは、撥水布地、ラミネート布地などの防水性シートであるから、濡れた時でも乾燥する手間が省けるし、汚れた時も簡単に拭き取ることができる。
（３）保温シートの全面に格子状の固着部を形成することにより、座布マットはちいさく折りたためるので、携帯性に優れており、軽量なので子供や高齢者も手軽にバックやカバンなどに入れて携帯することができる。
（４）保温シートは、裏面を断熱フイルムで被覆してあるので、冷たいベンチや芝生で腰を下ろしたとき、座面の保温が保たれ、又汚れた時も簡単にふき取ることが出来る。
（５）保温シートは、発泡材料、例えばポリエチレンなどを用いてクッション性を持たせてあるから、座った時の硬さを軽減することが出来る。
（６）マットを折りたたんだ状態を保つためのバンドを設けることにより、コンパクトに携帯することができるし携帯中に形くずれすることもない。
【図面の簡単な説明】
【００１１】
【図１】本考案の実施の形態にかかる携帯用座布マットの表面側の斜視図である。
【図２】図１中のＩＩ−ＩＩ矢示方向拡大断面図である。
【図３】携帯用座布マットの裏面側の斜視図である。
【図４】本考案の携帯用座布マットをたたんだ時の斜視図である。
【考案を実施するための形態】
【００１２】  図１〜図４によって本考案の実施の形態について説明する。
図１は携帯用座布マットの全体構成を示す。この携帯用座布マットは、シートカバー１と、保温シート２と、断熱フイルム３と、固着部４と、周りを束ねる為のバンド５とから構成される。
【００１３】  座面側のシートカバー１は、例えば撥水布地、ラミネート布地等のいずれかの材料を用い、保温シート２の上面を覆うことにより、傷むのを防止出来る。
【００１４】  図２に携帯用座布マットの断面図を示す。保温シート２は例えば発泡ポリエチレン、を使用することにより、クッション性を持たせてあるので、座った時の硬さを軽減することが出来る。
【００１５】  シートカバー１を保温シート２の上面に重ね合わせ、保温シート２の下面に適宜な間隔の固着部４を格子状に形成し、またシートカバー１と保温シート２の外縁側を縫製することにより固着し、本座布マットは固着部から折りたためることが可能になり携帯しやすいものとなる。
【００１６】  図３及び図４で示すように、バンド５はシートカバー１と保温シート２との間に紐の両端側を挟みこみ縫製することにより、リング状に設けてある。このバンド５によりマットを小さく折りたたんだ状態を、そのまま、まとめて束ねる為、形が整い携帯性に優れた物ものになる。
【００１７】  断熱フイルム３を保温シート２の下面に施すことにより、冷たいベンチ、芝生で腰を下ろした時に、冷えを軽減し汚れた時に簡単に拭き取る事が出来る。
【００１８】  本実施の形態にかかる携帯用座布マットは、上述の構成からなっており、例えば縦横３２センチ、厚さ０．４センチとしてある。
【００１９】  シートカバー１に、スポンサー表示、シンボルマーク、キャラクターなど施すことにより、プロモーション性やファッション性を持たせることも可能である。
【００２０】座面のシートカバーは用途に応じたプリント等をすることが可能なので、宣伝効果もあり、幅広く利用することが出来る。
【符号の説明】
【００２１】１  シートカバー
２  保温シート
３  断熱フイルム
４  固着部
５  バンド
【図１】
0003177875.tif 000003
【図２】
0003177875.tif 000004
【図３】
0003177875.tif 000005
【図４】
0003177875.tif 000006
(57)【要約】      （修正有）【課題】日常生活に介助を要する高齢者や、関節リウマチ患者の炊事や掃除時に布巾や雑巾の絞り動作を簡易化し、より安価な布巾・雑巾簡易脱水器を提供する。【解決手段】横長上の基台１を複数に分割して折れ目３を設け、基台１の上面の各面と下面の一端に吸水性に優れた微細絨毛様繊維を素材とする吸水部２ａ、２ｂ、２ｃ、２ｄを設置する。濡れた雑巾を吸水部に置き、挟み込むように折りたたみ上から手で圧迫することにより雑巾の水分が吸水部に吸収される。【選択図】図１
0003177871.tif 000002
【実用新案登録請求の範囲】
【請求項１】
横長上の基台を複数に分割して折れ目を設け、基台の上面の各面と下面の一端に吸水性に優れた微細絨毛様繊維を素材とする吸水部を設置した布巾・雑巾簡易脱水器。
【考案の詳細な説明】
【技術分野】
【０００１】  本考案は、吸水性に優れた微細繊維素材からなる布巾・雑巾簡易脱水器に関するものである。
【背景技術】
【０００２】  手指、手関節や上肢の筋力が低下した高齢者ならびに、関節リウマチや変形性関節症など手指・手関節の炎症や変形を持つ患者に対して、日常生活における濡れた布巾や雑巾を絞れないといった不自由を軽減するため、従来から電動モーターを動力とする遠心回転式脱水機や、布を捻じり回転をさせる布巾絞り機が発明されている（特許文献１）。
【先行技術文献】
【０００３】
【特許文献１】  登録実用新案第３１５９０９４号
【考案の概要】
【考案が解決しようとする課題】
【０００４】  従来の布巾・雑巾絞り機は、電動モーターを回転動力とする遠心力を利用した脱水式であったり、布の両端を固定して逆方向に捻転させて脱水する、すなわち両手の絞り動作を模した機械であったりするが、これらの脱水機は回転動力として電動モーター、あるいはハンドル等を手で回転させるための相当な上肢筋力を要する。手指・手関節ばかりでなく肘、肩関節など上肢筋力の低下している高齢者や関節リウマチ患者にとっては、脱水機に回転力を与える力や操作は困難なことも多く、この場合は電動式脱水機が唯一の解決策といえる。しかし、電動式脱水機は手の力を必要としない反面、節電の問題、コストや遠心回転で脱水した布巾や雑巾を広げて畳みなおす手作業、さらには食器用の布巾と雑巾を同じ脱水機を用いることの清潔度の問題を要している。
実際には、炊事や掃除など水仕事の際の布巾・雑巾絞りのごとに、他人の介助を必要としている現状である。高齢化社会と到来とともに、こうした日常生活動作（ＡＤＬ）に介助を必要とする高齢者が急増しており、豊かで健康な日常生活を維持するために、より安価で簡易な布巾・雑巾絞り器が求められている。
【課題を解決するための手段】
【０００５】  本考案は、横長上の基台を複数に分割して折れ目を設け、基台の上面の各面と下面の一端に吸水性に優れた微細絨毛様繊維を素材とする吸水部を設置する。
以上の構造よりなる布巾・雑巾簡易脱水器。
【考案の効果】
【０００６】  本考案に係る吸水性に優れた微細繊維素材からなる布巾・雑巾簡易脱水器は、濡れた布巾・雑巾を包むように高吸水性の微細繊維を配置することで、日常生活に介助を要する高齢者や関節リウマチ患者の炊事や掃除時の布巾や雑巾の絞り動作をサポートすることができる。
高齢者や関節炎患者は、上肢筋力の低下に加えて手指・手関節が変形して正常に機能しないことも多いことから、濡れた布巾や雑巾を絞ることが容易ではない。従来の脱水器としては電動モーター駆動式か、手動で布を捻転させて絞る装置のものが主であるが、毎日の作業を考えると節電の観点からも手動装置のほうが電動式より望ましい。手動式にしても動力を伝達するための複雑な構造や脱水効果を得るための相応な手部・上肢の運動力を必要とするため、実用面で困難なことが多く、この点において本考案の高吸水性微細繊維素材からなる布巾・雑巾簡易脱水器はわずかな圧迫力で脱水できることから、簡易で実用性に優れている。
【図面の簡単な説明】
【０００７】
【図１】本考案の斜視図
【図２】Ａ−Ａ断面図
【図３】本考案の使用状態を示す斜視図
【図４】本考案の使用状態を示す断面図
【考案を実施するための形態】
【０００８】以下、本考案の実施の形態を説明する。
（イ）横長状の基台（１）を３分割し、折れ目（３）を設ける。
（ロ）基台の上面の各面に吸水性に優れた微細絨毛様繊維を素材とする吸水部（２ａ、２ｂ、２ｃ）を設置する。
（ハ）基台の下面の一端に吸水性に優れた微細絨毛様繊維を素材とする吸水部（２ｄ）を設置する。
以上の構造よりなる布巾・雑巾簡易脱水器。
本考案を使用するときは、基台（１）の上面にのみ設置した吸水部（２ｂ、２ｃ）の上に、２つの面を合わせた吸水部（２ｂ、２ｃ）の大きさより一回り小さいサイズの濡れた雑巾を置く。上面の吸水部（２ａ）と下面の吸水部（２ｄ）を設置した基台（１）の一端を、上面の吸水部（２ａ）と中央の吸水部（２ｂ）が雑巾の一部を挟み込むように、中央に向かって折れ目（３）の部分で折りたたむ。下面の吸水部（２ｄ）と上面のもう一端の吸水部（２ｃ）が雑巾の一部を挟み込むように中央に向かって折れ目（３）の部分で折りたたむ。折りたたんだ状態の雑巾等簡易脱水器の上から手で圧迫することにより、雑巾の水分を吸水部（２ａ、２ｂ、２ｃ、２ｄ）が吸収し、雑巾を脱水する。これにより、雑巾等の表裏全体に吸水部を接着することができる。
【符号の説明】
【０００９】１基台、２ａ吸水部、２ｂ吸水部、２ｃ吸水部、２ｄ吸水部、３折れ目、４雑巾
【図１】
0003177871.tif 000003
【図２】
0003177871.tif 000004
【図３】
0003177871.tif 000005
【図４】
0003177871.tif 000006
(57)【要約】      （修正有）【課題】新聞ストッカーの中央に紐巻きつけリングを設け、新聞を取り出すことなく簡単に紐を巻いて縛ることが出来るようにした新聞ストッカーを提供する。【解決手段】新聞ストッカー本体１に、４の紐固定つめを持った紐巻きつけリング２を、新聞ストッカー本体の底面の中央に配置された３のリングガイドローラー２個の上に置き、新聞紙を縛る際には紐を紐固定つめに引っ掛けて、紐巻きつけリングを１回転あるいは２回転することで新聞紙を新聞ストッカーから取り出すことなく簡単に紐を巻いて縛ることができる。【選択図】図１
0003177739.tif 000002
【実用新案登録請求の範囲】
【請求項１】
新聞ストッカー本体の中央に、新聞紙と直角で新聞の束が内側に収まる大きさの回転自由な紐巻きつけリングを設け、紐巻きつけリングを回転させることにより紐巻きつけリングの内側に固定された紐固定フックに掛けられた紐を新聞の束に巻くことが出来ることを特徴とする紐巻きつけリング付新聞ストッカー
【考案の詳細な説明】
【技術分野】
【０００１】
本考案は、紐を巻きつけるための紐巻きつけリングを設けた、新聞ストッカーに関するものである。
【背景技術】
【０００２】
新聞ストッカーに溜まった新聞紙を紐で巻いて縛る際、一度新聞紙を新聞ストッカーより取り出さなければならないため、新聞が崩れて思うように紐を巻いて縛ることが出来ない。
【考案の概要】
【考案が解決しようとする課題】
【０００３】
この考案の目的は、新聞ストッカーに溜まった新聞紙を、一度新聞ストッカーから取り出すことなく紐を巻いて縛ることができる様に、新聞ストッカーの中央に紐を巻きつけることのできる紐巻きつけリングを設け、前述の欠点を解決しようとするものである。
【課題を解決するための手段】
【０００４】
新聞ストッカー本体の中央に新聞紙と直角方向になるよう、紐をかけるための紐固定つめを内側に持った紐巻きつけリングを設け、その紐巻きつけリングを新聞紙の束の中心として回転させることで、新聞紙を取り出さずに新聞紙の周りに紐を巻くことが出来ることにより、問題点を解決している。
【考案の効果】
【０００５】
上述の様に、本考案の紐巻きつけリング付新聞ストッカーは、新聞ストッカーに新聞が入っている状態で、紐を新聞の束に巻いて縛ることができる様になるため、新聞紙を新聞ストッカーから取り出す必要がなく、崩れる事もなくなり、簡単に新聞紙を紐で巻いて縛ることができる。
【図面の簡単な説明】
【０００６】
【図１】本考案の紐巻きつけリング付新聞ストッカーの一実施例を示す正面図である。
【図２】本考案の紐巻きつけリング付新聞ストッカーの側面図である。
【図３】本考案の紐巻きつけリング付新聞ストッカーの側面図で、新聞収納時、または新聞取り出し時の状態である。
【図４】本考案の紐巻きつけリング付新聞ストッカーの斜視図である。
【実施例】
【０００７】
以下、添付図面に従って一実施例を説明する。
１は耐久性プラスチック等適宜素材にて形成された新聞ストッカー本体、２は新聞紙に紐を巻くための４の紐固定つめを内側に持った紐巻きつけリングで、新聞ストッカー本体の底面に配置された３のリングガイドローラー２個の上に置かれ、自由に回転することが出来るが、新聞紙の束に紐を巻くとき意外は、斜めに立てかけられ、新聞紙を出し入れしやすい状態に出来る（図４）。新聞紙は紐巻きつけリングの内側に入る形で溜まっていき、新聞紙が一杯となり新聞紙を縛る際には、紐巻きつけリングを直角に立て、紐を紐固定つめに引っ掛けて、紐巻きつけリングを時計回りに1回転、或いは２回転することで紐が巻かれる。その後は紐を紐固定つめからはずし紐をしばる。
【符号の説明】
【０００８】
１  新聞ストッカー本体
２  紐巻きつけリング
３  リングガイドローラー
４  紐固定つめ
５  新聞紙
６  紐
【図１】
0003177739.tif 000003
【図２】
0003177739.tif 000004
【図３】
0003177739.tif 000005
【図４】
0003177739.tif 000006